(57)【要約】【課題】既設の巻上機台に新たに設置されるロープブレーキの巻上機台に対する位置決めが簡単となり、ロープブレーキの設置作業性が向上する。【解決手段】このエレベータは、巻上機２を支持した巻上機台５と、この巻上機台５に追加して固定されたロープブレーキ７と、このロープブレーキ７と巻上機台５との間に介在し巻上機台５を覆った塞ぎ板６と、を備え、塞ぎ板６は、ロープブレーキ７が巻上機台５に対して固定される位置に対応して形成された位置決め穴を有し、ロープブレーキ７は、位置決め穴を貫通した固定部材１４の締結により巻上機台５に固定されている。【選択図】図２
2015174755.tif 000002
【特許請求の範囲】
【請求項１】
巻上機を支持した巻上機台と、
この巻上機台に追加して固定された追加機器と、
この追加機器と前記巻上機台との間に介在し巻上機台を覆った塞ぎ板と、を備え
前記塞ぎ板は、前記追加機器が前記巻上機台に対して固定される位置に対応して形成された位置決め穴を有し、
前記追加機器は、前記位置決め穴を貫通した固定部材の締結により巻上機台に固定されているエレベータ。
【請求項２】
前記追加機器は、前記巻上機の綱車及びそらせ車に巻き掛けられている巻上ロープに添わせて設けられ、前記巻上ロープを挟圧して乗りかごの昇降を制御するロープブレーキである請求項１に記載のエレベータ。
【請求項３】
前記塞ぎ板は、前記巻上ロープが通るロープ穴が形成されている請求項２に記載のエレベータ。
【請求項４】
前記塞ぎ板は、端部に前記巻上ロープが通る切り欠き部が形成されている請求項２に記載のエレベータ。
【請求項５】
前記塞ぎ板は、前記ロープ穴を通って切断された第１の塞ぎ板部と第２の塞ぎ板部とから構成され、前記第１の塞ぎ板部と前記第２の塞ぎ板部とは切離可能に固定部品により接続されている請求項３に記載のエレベータ。
【請求項６】
請求項１に記載のエレベータの追加機器を巻上機台に固定する、エレベータの追加機器の固定方法であって、
前記塞ぎ板の前記位置決め穴に対応した前記追加機器の部位を穿設して追加機器穴を形成する工程と、
前記巻上機台に前記塞ぎ板を載置したときの、前記塞ぎ板の前記位置決め穴に対応した前記巻上機台の部位を穿設して取付穴を形成する工程と、
前記追加機器穴、前記位置決め穴及び前記取付穴に前記固定部材を貫通して前記巻上機台に前記塞ぎ板を介して前記追加機器を締結する締結工程と、
を備えているエレベータの追加機器の固定方法。
【発明の詳細な説明】
【技術分野】
【０００１】
この発明は、巻上機台に新たに追加する追加機器が固定されたエレベータ、及びその追加機器を巻上機台に固定する、エレベータの追加機器の固定方法に関するものである。
【背景技術】
【０００２】
従来、巻上機台に巻上ロープに添わせてロープブレーキを設置し、このロープブレーキが巻上ロープを挟圧して乗りかごの昇降を制御したエレベータが知られている（例えば、特許文献１参照）。
【先行技術文献】
【特許文献】
【０００３】
【特許文献１】特開２０１２−６６７０号公報
【発明の概要】
【発明が解決しようとする課題】
【０００４】
このエレベータにおいて、既設の巻上機台に新たにロープブレーキを追加、設置しようとした場合には、巻上機台に複数の取付穴を現場で穿設しなければならない。
この場合、ロープブレーキは、その特性上、巻上ロープに対して高い位置精度が要求され、現場で詳細な測定をしてから各取付穴の位置を特定して印を付けてから穿設作業をしなければならず、ロープブレーキの設置作業が面倒で設置工事の長期化を招くという問題点があった。
【０００５】
この発明は、かかる問題点を解決することを課題とするものであって、既設の巻上機台に新たに設置される追加機器の巻上機台に対する位置決めが簡単となり、追加機器の設置作業性が向上したエレベータを得ることを目的とする。
また、追加機器を巻上機台に固定する作業性が向上した、エレベータの追加機器の固定方法を得ることを目的とする。
【課題を解決するための手段】
【０００６】
この発明に係るエレベータは、
巻上機を支持した巻上機台と、
この巻上機台に追加して固定された追加機器と、
この追加機器と前記巻上機台との間に介在し巻上機台を覆った塞ぎ板と、を備え
前記塞ぎ板は、前記追加機器が前記巻上機台に対して固定される位置に対応して形成された位置決め穴を有し、
前記追加機器は、前記位置決め穴を貫通した固定部材の締結により巻上機台に固定されている。
【０００７】
また、この発明に係るエレベータの追加機器の固定方法は、
塞ぎ板の位置決め穴に対応した追加機器の部位を穿設して追加機器穴を形成する工程と、
巻上機台に前記塞ぎ板を載置したときの、前記塞ぎ板の前記位置決め穴に対応した前記巻上機台の部位を穿設して取付穴を形成する工程と、
前記追加機器穴、前記位置決め穴及び前記取付穴に固定部材を貫通して前記巻上機台に前記塞ぎ板を介して前記追加機器を締結する締結工程と、
を備えている。
【発明の効果】
【０００８】
この発明に係るエレベータによれば、追加機器が巻上機台に対して固定される位置に対応して形成された位置決め穴を有する塞ぎ板を用いることで、既設の巻上機台に新たに設置される追加機器の巻上機台に対する位置決めが簡単となり、追加機器の設置作業性が向上する。
【０００９】
また、この発明に係るエレベータの追加機器の固定方法によれば、巻上機台に塞ぎ板を載置したときに位置決め穴に対応した巻上機台の部位を取付穴とすることで、既設の巻上機台に新たに設置される追加機器の巻上機台に対する位置決めが簡単となり、追加機器の設置作業性が向上する。
【図面の簡単な説明】
【００１０】
【図１】この発明の実施の形態１のエレベータの要部を示す側面図である。
【図２】図１の平面図である。
【図３】図１のロープブレーキを除いたときの平面図である。
【図４】この発明の実施の形態２のエレベータの要部を示す平面図である。
【発明を実施するための形態】
【００１１】
以下、この発明の各実施の形態について図に基づいて説明するが、各図において同一、または相当部材、部位については同一符号を付して説明する。
【００１２】
実施の形態１．
図１はこの発明の実施の形態１のエレベータの巻上機台５及びその周辺部を示す側面図、図２は図１の平面図、図３は図１のロープブレーキ７を除いたときの平面図である。
エレベータの昇降路（図示せず）には、乗りかご（図示せず）が設けられ、この乗りかごの一端部には巻上ロープ１が接続されている。この巻上ロープ１は、巻上機２の綱車３、及びそらせ車４に巻き掛けられている。巻上ロープ１の他端部には釣り合いおもり（図示せず）が接続されている。巻上機２の駆動により巻上ロープ１が移動し、乗りかご及び釣り合いおもりが相互に反対方向に昇降する。
綱車３は、巻上機台５に設置されている。巻上げ機台５には塞ぎ板６を介して追加機器であるロープブレーキ７が取付けられている。ロープブレーキ７は、巻上ロープ１に添わせて設けられており、巻上ロープ１を挟圧して乗りかごの昇降を制御する。
【００１３】
矩形状をした塞ぎ板６には、巻上機台５の対向した一対の巻上機台梁８に形成された４箇所の取付穴にそれぞれ対応して位置決め穴９が形成されている。巻上機台５の上部の略半分を覆った塞ぎ板６には、ロープ穴１０が形成されている。そらせ車４の直上のロープ穴１０には、綱車３とそらせ車４との間を巻き掛けられた巻上ロープ１が通る。
ロープブレーキ７は、そらせ車４の直上にあるロープブレーキ本体１１と、一対の巻上機台梁８に両端部が接続されロープブレーキ本体１１を支持したロープブレーキ梁１２と、を有している。ロープブレーキ梁１２のそれぞれの端部には、ロープブレーキ穴１３が形成されている。ロープブレーキ７は、巻上機台梁８の取付穴、塞ぎ板６の位置決め穴９及びロープブレーキ穴１３を貫通した、通しボルト及びナットからなる固定部材１４を締結して巻上機台５に固定されている。
【００１４】
次に、エレベータの既設の巻上機台５の所定の位置にロープブレーキ７を固定する手順について説明する。
先ず、塞ぎ板６にロープブレーキ７を載置し、その位置決め穴７を通じてロープブレーキ梁１２の両端部に印を付け、その印の部位を穿設してロープブレーキ穴１３を形成する。
次に、巻上機台５のロープブレーキ７が設置される予定の部位に塞ぎ板６を載置し、塞ぎ板６の位置決め穴９を通じて巻上機台梁８に印を付けた後、その印の部位を穿設して取付穴を形成する。
その後、巻上機台５に、塞ぎ板６及びロープブレーキ７を、巻上機台５の取付穴、塞ぎ板６の位置決め穴９及びロープブレーキ穴１３の各軸心を一致させた状態で重ね、固定部材１４を貫通して締結し、巻上機台５に塞ぎ板６を介してロープブレーキ７を固定する。
【００１５】
この実施の形態のエレベータによれば、塞ぎ板６は、ロープブレーキ７が巻上機台５に対して固定される位置に対応して形成された位置決め穴９を有しており、この塞ぎ板６を利用することで、既設の巻上機台５に新たに設置されるロープブレーキ７の巻上機台５に対する位置決めが簡単となり、ロープブレーキ７の設置作業性が向上する。
また、塞ぎ板６は、ロープブレーキ７の直下に、対向した巻上機台梁８を跨って配置されているので、例えば、現場でロープブレーキ７を設置しているときに、部品、工具等を落下させてしまった場合に、落下物は塞ぎ板６で受け止められ、昇降路内へ落下するのを防止することができる。
【００１６】
また、この実施の形態のエレベータのロープブレーキ７の固定方法によれば、巻上機台５に対するロープブレーキ７の設置位置は、巻上機台５に塞ぎ板６を載置したときに位置決め穴９に対応した巻上機台５の部位に印を付けて取付穴とすることで、既設の巻上機台５に新たに設置されるロープブレーキ７の巻上機台５に対する位置決めが簡単となり、ロープブレーキ７の設置作業性が向上する。
【００１７】
実施の形態２．
図４はこの発明の実施の形態２のエレベータの要部を示す平面図である。
この実施の形態では、塞ぎ板６は、ロープ穴１０を通って切断された、第１の塞ぎ板部６Ａと第２の塞ぎ板部６Ｂとから構成されている。第１の塞ぎ板部６Ａと第２の塞ぎ板部６Ｂとは側端部同士が重なり、重なった部位で固定部品１５により接続されている。
他の構成は、実施の形態１のエレベータと同じである。
【００１８】
この実施の形態では、ロープ穴１０を通った既設の巻上ロープ１を新規の巻上ロープ１と交換する場合には、固定部品１５を取り外し、第２の塞ぎ板部６Ｂを巻上機台５から取り除くことで、巻上ロープ１の交換時に巻上ロープ１の移動スペースが拡大し、巻上ロープ１の交換作業性が向上する。
また、塞ぎ板６を既設のエレベータに追加する場合には、巻上ロープ１を取り除くことなく、そのままの状態で、巻上げロープ１を第１の塞ぎ板部６Ａ及び第２の塞ぎ板部６Ｂも用いて両側から挟むことで、簡単に塞ぎ板６をエレベータに取り付けることができるので、ロープブレーキ７の既設のエレベータに対する追加と併せて塞ぎ板６も追加する場合に、巻上ロープ１を外すことなく塞ぎ板６の追加が可能とり、大幅に工期が短縮され、作業性が改善される。
【００１９】
なお、上記各実施の形態では、塞ぎ板６にロープ穴１０を形成したが、巻上ロープ１との位置取りの関係から塞ぎ板６の端部に巻上ロープ１が通る切り欠き部が形成されるようにしてもよい。
また、巻上機台５に設置する追加機器として、ロープブレーキ７の場合について説明したが、例えば追加機器が巻上ロープ１を覆ったロープカバーであってもこの発明を適用することができる。
また、追加機器として巻上ロープ１の状態を検査するロープテスタであってもよい。
また、固定部材１４として通しボルト、ナットの代りに、例えば埋め込みボルト、リベットを用いてもよい。
【符号の説明】
【００２０】
１  巻上ロープ、２  巻上機、３  綱車、４  そらせ車、５  巻上機台、６  塞ぎ板、６Ａ  第１の塞ぎ板部、６Ｂ  第２の塞ぎ板部、７  ロープブレーキ、８  巻上機台梁、９  位置決め穴、１０  ロープ穴、１１  ロープブレーキ本体、１２  ロープブレーキ梁、１３  ロープブレーキ穴（追加機器穴）、１４  固定部材、１５  固定部品。
【図１】
2015174755.tif 000003
【図２】
2015174755.tif 000004
【図３】
2015174755.tif 000005
【図４】
2015174755.tif 000006